(57)【要約】【課題】ユーザーに実際の大きさより小型であるとの印象を与えることができる壁掛け式の室内機を提供する。【解決手段】前面カバー３として、前面部２０と、空気吸込部を有する天面部と、左右一対の側面部４０と、空気吹出部５１を有する底面部５０とを備え、前面部２０がその中央部分２１が室内に向けて膨らむように湾曲しているとともに、前面部２０は本体シャーシ２の背面部よりも横方向の幅が大きく、側面部４０が前面部２０側から本体シャーシ２の背面部側に向けて本体シャーシ２の内側に傾斜している空気調和機の室内機において、底面部５０は、その横方向の幅の中央部分５２が室内の床面側に向けて膨出する湾曲面５０Ｃを備え、室内機１の底面が膨らんで見えるようにする。【選択図】図１
2020063859.tif 000002
【特許請求の範囲】
【請求項１】
送風機および熱交換器を支持する支持フレームと室内の壁面に取り付けられる背面部とを有する本体シャーシと、外装体として上記本体シャーシに被せられる前面カバーとを含み、上記前面カバーは、上記本体シャーシの前面に配置される前面部と、空気吸込部を有し上記本体シャーシの上面に配置される天面部と、上記本体シャーシの側面に配置される左右一対の側面部と、空気吹出部を有し上記本体シャーシの下面に配置される底面部とを備え、上記前面部は、その中央部分が前方に向けて膨らむように湾曲しているとともに、上記前面部の横方向の幅は、上記本体シャーシの背面部の横方向の幅よりも大きく、上記各側面部が上記前面部側から上記背面部に向けて上記本体シャーシの内側に傾斜している空気調和機の室内機において、
上記底面部は、その横方向の幅の中央部分を頂点として上記底面部の横方向の幅の一端から他端にかけて下方に向けて膨出する湾曲面を備えていることを特徴とする空気調和機の室内機。
【請求項２】
上記空気吹出部には、上記底面部の一端側から他端側にかけて延びる帯板状の上下風向板が配置されており、上記湾曲面には、上記底面部の一端から上記上下風向板の上記底面部の同じ側の一端側にかけて形成される第１湾曲部と、上記底面部の他端から上記上下風向板の上記底面部の同じ側の他端側にかけて形成される第２湾曲部と、上記上下風向板に対応する中央部分の第３湾曲部とが含まれており、上記第３湾曲部に、上記底面部の四隅を含む基準平面から最も距離の大きい箇所としての上記湾曲面の頂点が存在していることを特徴とする請求項１に記載の空気調和機の室内機。
【請求項３】
上記第３湾曲部は、上記第１湾曲部，上記第２湾曲部よりも曲率が小さいことを特徴とする請求項２に記載の空気調和機の室内機。
【発明の詳細な説明】
【技術分野】
【０００１】
本発明は空気調和機の室内機に関し、さらに詳しく言えば、壁掛け式の室内機に関するものである。
【背景技術】
【０００２】
壁掛け式の室内機の多くは、室内の壁面に取り付けられる本体シャーシと、外装体として本体シャーシに被せられる箱形の前面カバーとを備えている。
【０００３】
本体シャーシは、送風機（クロスフローファン）および熱交換器を支持する支持フレームと、支持フレームの背面部が取り付けられ室内機を室内の壁面に固定する据付板とを備えている。
【０００４】
前面カバーは、本体シャーシの前面に配置される前面部と、本体シャーシの上面に配置される天面部と、本体シャーシの側面に配置される左右一対の側面部と、本体シャーシの下面に配置される底面部とを備えている。
【０００５】
天面部には空気吸込部（空気吸込グリル）が設けられ、底面部に空気吹出部が設けられる。また、前面部には、メンテナンス時（例えば、エアフィルターの清掃時）に開閉される開閉パネルが設けられる。
【０００６】
室内機は、通常、室内の壁の天井近くの高所に設置されるが、ユーザー（居住者）にできるだけ小型であるとの印象を与えることが好ましい場合がある。
【０００７】
そこで、一例として、開閉パネルをその中央部分が前方に向けて膨らむような湾曲面に形成するとともに、開閉パネルの横方向の幅を本体シャーシの背面部よりも大きくし、各側面部を前面部側から背面部に向けて本体シャーシの内側に傾斜（正面から見て逆テーパー状に傾斜）させるようにしている（類例として、特許文献１参照）。
【先行技術文献】
【特許文献】
【０００８】
【特許文献１】特許第６０５８５２２号公報
【発明の概要】
【発明が解決しようとする課題】
【０００９】
しかしながら、上記の構成では、開閉パネルの中央部分が前方に向けて膨らむように形成されているとともに、前面カバーの底面部は平板状に形成されているため、開閉パネルのみが押し出されるような外観になるため、ユーザーに小型であるとの印象を与えることが難しい。
【００１０】
別の問題として、各部品は合成樹脂の射出成形により形成されるため、成形後に反りが生じやすい。また、底面部は面積が大きいことから、反りが生じ易い。
【００１１】
したがって、本発明の課題は、ユーザーに実際の大きさより小型であるとの印象を与えることができる壁掛け式の室内機を提供することにある。
【課題を解決するための手段】
【００１２】
上記課題を解決するため、本発明は、送風機および熱交換器を支持する支持フレームと室内の壁面に取り付けられる背面部とを有する本体シャーシと、外装体として上記本体シャーシに被せられる前面カバーとを含み、上記前面カバーは、上記本体シャーシの前面に配置される前面部と、空気吸込部を有し上記本体シャーシの上面に配置される天面部と、上記本体シャーシの側面に配置される左右一対の側面部と、空気吹出部を有し上記本体シャーシの下面に配置される底面部とを備え、上記前面部は、その中央部分が前方に向けて膨らむように湾曲しているとともに、上記前面部の横方向の幅は、上記本体シャーシの背面部の横方向の幅よりも大きく、上記各側面部が上記前面部側から上記背面部に向けて上記本体シャーシの内側に傾斜している空気調和機の室内機において、
上記底面部は、その横方向の幅の中央部分を頂点として上記底面部の横方向の幅の一端から他端にかけて下方に向けて膨出する湾曲面を備えていることを特徴としている。
【００１３】
本発明において、上記空気吹出部には、上記底面部の一端側から他端側にかけて延びる帯板状の上下風向板が配置されており、上記湾曲面には、上記底面部の一端から上記上下風向板の上記底面部の同じ側の一端側にかけて形成される第１湾曲部と、上記底面部の他端から上記上下風向板の上記底面部の同じ側の他端側にかけて形成される第２湾曲部と、上記上下風向板に対応する中央部分の第３湾曲部とが含まれており、上記第３湾曲部に、上記底面部の四隅を含む基準平面から最も距離の大きい箇所としての上記湾曲面の頂点が存在している。
【００１４】
また、上記第３湾曲部は、上記第１湾曲部，上記第２湾曲部よりも曲率が小さいことが好ましい。
【発明の効果】
【００１５】
本発明によれば、ユーザーに実際の大きさより小型であるとの印象を与えることができる。また、底面パネルに反りが生じ難くすることができる。
【図面の簡単な説明】
【００１６】
【図１】本発明の実施形態に係る室内機の底面部側から見た外観斜視図。
【図２】上記室内機の天面部側から見た外観斜視図。
【図３】上記室内機の正面図。
【図４】上記室内機の背面図。
【図５】上記室内機の平面図。
【図６】上記室内機の底面図。
【図７】上記室内機の左側面図。
【図８】上記室内機の右側面図。
【図９】図３のＡ−Ａ線拡大断面図。
【発明を実施するための形態】
【００１７】
次に、図面（図１〜図９）により、本発明の実施形態について説明するが、本発明はこれに限定されるものではない。
【００１８】
図１，図２の外観斜視図、図３〜図８の６面図および図９の断面図を参照して、この実施形態に係る室内機１は壁掛け式で、本体シャーシ２と、本体シャーシ２に被せられる外装体としての前面カバー３とを備えている。
【００１９】
本体シャーシ２は、支持フレーム１０ａと、支持フレーム１０ａの背面を形成する背面部１０ｂを備えている。なお、この背面部１０ｂは、室内の壁面に固定され、本体シャーシ２が取り付けられる据付板で形成されてもよい。
【００２０】
支持フレーム１０ａには、送風機（クロスフローファン）１１と室内熱交換器１２が支持されている。本実施形態では、背面部１０ｂは据付板１０ｃで形成され、本体シャーシ２は、据付板１０ｃを介して室内の壁面に固定される。
【００２１】
また、支持フレーム１０ａは、送風機１１の下流側に空気吹出通路（リアガイダ）１５を備え、支持フレーム１０ａの底部には、空気吹出通路１５の出口としての空気吹出口１３が形成されている。空気吹出口１３には、風向板（この実施形態では、上下風向板）１４が配置されている。
【００２２】
前面カバー３は、本体シャーシ２の前面に配置される前面部２０と、本体シャーシ２の上面に配置される天面部３０と、本体シャーシ２の側面に配置される左右一対の側面部４０（４０Ｌ，４０Ｒ）と、本体シャーシ２の底面に配置される底面部５０とを備えている。
【００２３】
前面部２０は、図５の平面図と図６の底面図に示すように、その中央部分２１が室内機１の前方に向けて（室内の壁から室内機１が取り付けられる室内に向けて）膨らむように湾曲している。
【００２４】
前面部２０の横方向（水平方向）の幅Ｗｆは、本体シャーシ２の背面部１０ｂ（据付板１０ｃ）の横方向（水平方向）の幅Ｗｂよりも大きい（Ｗｆ＞Ｗｂ）。また、図３の正面図において、前面部２０の中央部分２１における上下方向の縦幅Ｗｃは、前面部２０の端部２２側の縦幅Ｗｓよりも若干大きい。
【００２５】
なお、この実施形態において、前面部２０は化粧パネルで、空気吸込口や空気吹出口等は設けられていないが、前面部２０の前面に、メンテナンス時（例えば、エアフィルターの清掃時）に開閉される開閉パネルが設けられてもよい。
【００２６】
この実施形態において、天面部３０に空気吸込部３１としての空気吸込グリル３２が設けられている。図示しないが、吸込グリル３２には除塵フィルタが着脱可能に設けられている。
【００２７】
送風機１１の回転により、室内空気が空気吸込部３１から本体シャーシ２内に吸い込まれ室内熱交換器１２にて冷媒と熱交換された後、空気吹出通路１５を通って空気吹出口１３から室内に向けて吹き出される。
【００２８】
側面部４０は、左側面部４０Ｌと右側面部４０Ｒを左右一対として備えている。左側面部４０Ｌと右側面部４０Ｒは左右対称形であり、区別する必要がない場合には、総称として側面部４０と言う。
【００２９】
上記のようにＷｆ＞Ｗｂであるため、側面部４０Ｌ，４０Ｒは、図５，図６に示すように、前面部２０側から据付板１０ｂ側に向けて本体シャーシ２の内側に向けて傾斜している。
【００３０】
底面部５０には、空気吹出口１３と対向する部分が空気吹出部５１として開口されている。上記したように、空気吹出口１３には上下風向板１４が配置されている。上下風向板１４は帯板状として形成されており、送風機（クロスフローファン）１１の回転軸と平行な軸を回転軸として回転する。上下風向板１４は、その軸方向の一端１４ａから他端１４ｂにかけて上記回転軸と平行に真っ直ぐに延びている。
【００３１】
上下風向板１４は、図３の正面視で平板状を呈しているが、本発明において、底面部５０は平板状ではなく、その横方向（上下風向板１４の回転軸方向）の幅の中央部分５２が室内機１の下方（図１，図３において室内機１が取り付けられる室内の床面側）に向けて膨らむ湾曲面５０Ｃを備えている。
【００３２】
図３を参照して、底面部５０の湾曲面５０Ｃには、底面部５０の一端（左端）５０ａから上下風向板１４の上記底面部５０の同じ側の左端１４ａ側にかけて形成される第１湾曲部５０１と、底面部５０の他端（右端）５０ｂから上記底面部５０の同じ側の右端１４ｂ側にかけて形成される第２湾曲部５０２と、上下風向板１４に対応する中央部分の第３湾曲部５０３とが含まれている。
【００３３】
図１に示すように、底面部５０の四隅５０ｐ，５０ｑ，５０ｒおよび５０ｓを含む面を底面部５０の基準平面Ｓとして、第３湾曲部５０３に湾曲の頂点（基準平面面Ｓから最も距離が大きくなる箇所）が存在している。また、第３湾曲部５０３は第１湾曲部５０１，第２湾曲部５０２よりも曲率が小さい。
【００３４】
この底面部５０の湾曲面５０Ｃにより、図１，図３に示すように、室内機１の底面が膨らんで見えるため、前面部２０の中央部分２０Ｃが膨らんでいることと相俟って、ユーザーに小型であるとの印象を与えることができる。また、底面部５０には、成形時に湾曲面５０Ｃが形成されていることにより、底面部５０に反りが生じ難くすることができる。
【００３５】
底面部５０の湾曲面５０Ｃは、底面部５０の横方向の幅の一端５０ａから他端５０ｂにかけて緩やかに形成していることが好ましい。
【００３６】
なお、この実施形態によれば、図１，図３において、上下風向板１４（空気吹出口１３）の右端には、エアコンの運転状態を例えばＬＥＤにより表示する表示部１６が設けられている。また、上下風向板１４（空気吹出口１３）の左端には、意匠的に表示部１６との統一性を高めるためのダミープレート５３が設けられている。
【符号の説明】
【００３７】
１  室内機
２  本体シャーシ
３  前面カバー
１０ａ  支持フレーム
１０ｂ  取付基板
１１  送風機（クロスフファン）
１２  室内熱交換器
１３  空気吹出口
１４  風向板（上下風向板）
１５  空気吹出通路
２０  前面部
２１  前面部の中央部分
３０  天面（上面）パネル部
３１  空気吸込部
３２  吸込グリル
４０（４０Ｌ，４０Ｒ）  側面部
５０  底面部
５０Ｃ  湾曲面
５０１〜５０３  湾曲部
５１  空気吹出部
５２  底面パネルの中央部分
【図１】
2020063859.tif 000003
【図２】
2020063859.tif 000004
【図３】
2020063859.tif 000005
【図４】
2020063859.tif 000006
【図５】
2020063859.tif 000007
【図６】
2020063859.tif 000008
【図７】
2020063859.tif 000009
【図８】
2020063859.tif 000010
【図９】
2020063859.tif 000011